【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
用紙にインクジェット方式により印刷を行う印刷手段と、
布帛の種類夫々に応じた印刷データが記憶された布帛印刷データ記憶手段と、
前記布帛の種類データが入力される入力手段と、
該入力手段によって入力された前記布帛の種類データに対応する印刷データを前記布帛印刷データ記憶手段から読み出して前記印刷手段に供給する制御手段とを備え、
前記印刷手段は、前記制御手段から供給された前記印刷データに基いて前記用紙に印刷を行うことにより該用紙が前記入力手段により入力された前記布帛の種類データに対応する布帛に類似した感触となる様に印刷することを特徴とするインクジェット装置。
【請求項２】
用紙にインクジェット方式により印刷を行う印刷手段と、
布帛の印刷データが入力される入力手段と、
該入力手段により入力された前記布帛の印刷データを前記印刷手段に供給する制御手段と
を備え、
前記印刷手段は前記制御手段から供給された前記布帛の印刷データに基いて前記用紙に印刷を行うことにより該用紙が前記布帛に類似した感触となる様に印刷することを特徴とするインクジェット装置。
【請求項３】
インクジェット装置と、該インクジェット装置に印刷データを供給する外部機器とからなるインクジェット印刷システムであって、
前記外部機器は、前記印刷データとして布帛の種類データを供給し、
前記インクジェット装置は、用紙にインクジェット方式により印刷を行う印刷手段と、布帛の種類夫々に応じた印刷データが記憶された布帛印刷データ記憶手段と、前記外部機器からの布帛の種類データが入力される入力手段と、該入力手段によって入力された布帛の種類データに対応する印刷データを前記布帛印刷データ記憶手段から読み出して前記印刷手段に供給する制御手段とを備えており、
前記印刷手段は、前記供給された印刷データに基いて前記用紙に印刷を行うことにより該用紙が前記入力手段により入力された前記布帛の種類データに対応する布帛に類似した感触となる様に印刷することを特徴とするインクジェット印刷システム。
【請求項４】
インクジェット装置と、該インクジェット装置に印刷データを供給する外部装置とからなるインクジェット印刷システムであって、
前記外部機器は、前記印刷データとして、前記用紙を布帛に類似した感触となるように印刷する印刷データを供給し、
前記インクジェット装置は、前記用紙にインクジェット方式により印刷を行う印刷手段と、前記外部機器からの印刷データが入力される入力手段と、該入力手段により入力された前記印刷データを前記印刷手段に供給する制御手段とを備えており、
前記印刷手段は、前記制御手段により供給された前記印刷データに基いて前記用紙に印刷を行うことにより該用紙が前記布帛に類似した感触となる様に印刷することを特徴とするインクジェット印刷システム。
【請求項５】
前記印刷手段は、インク材料として固形インクを用いたソリッドインクジェット方式により前記用紙に印刷を行うことを特徴とする請求項１又は２記載のインクジェット装置。
【請求項６】
前記印刷手段は、インク材料として固形インクを用いたソリッドインクジェット方式により前記用紙に印刷を行うことを特徴とする請求項３又は４記載のインクジェット印刷システム。
【請求項７】
前記入力手段は、予め定められた布帛の種類データの中から少なくとも１つの種類を選択して入力する選択入力手段を備えていることを特徴とする請求項１記載のインクジェット装置。
【請求項８】
前記用紙は、記録紙であることを特徴とする請求項１又は２記載のインクジェット装置。
【請求項９】
前記用紙は、記録紙であることを特徴とする請求項３又は４記載のインクジェット印刷システム。
【請求項１０】
前記用紙は、予め定められた種類の布帛部材であることを特徴とする請求項１又は２記載のインクジェット装置。
【請求項１１】
前記用紙は、予め定められた種類の布帛部材であることを特徴とする請求項３又は４記載のインクジェット印刷システム。
【請求項１２】
前記外部機器は、パーソナルコンピュータであることを特徴とする請求項３又は４記載のインクジェット印刷システム。
【請求項１３】
前記布帛印刷データ記憶手段に記憶される印刷データは、少なくともシルク、コットン、ナイロン、ポリエステル、ポリピレンの印刷データであることを特徴とする請求項１記載のインクジェット装置。
【請求項１４】
前記布帛印刷データ記憶手段に記憶される印刷データは、少なくともシルク、コットン、ナイロン、ポリエステルの印刷データであることを特徴とする請求項３記載のインクジェット印刷システム。
【請求項１５】
用紙にインクジェット方式によって印刷を行う印刷手段と、布帛の種類夫々に応じた印刷データを記憶する布帛印刷データ記憶手段と、該布帛印刷データ記憶手段から前記布帛の種類夫々に応じた印刷データを順次読み出して前記印刷手段に供給する制御手段とを備え、
前記印刷手段は、前記制御手段から供給された前記印刷データに基いて前記用紙に印刷を行うことにより該用紙が前記布帛の種類夫々に類似した感触となる様に印刷することを特徴とするインクジェット装置。
【請求項１６】
前記布帛印刷データ記憶手段に記憶される印刷データは、少なくともシルク、コットン、ナイロン、ポリエステルの４種類の布帛の印刷データを含み、１枚の用紙に４種類の布帛の印刷データが順次印刷されることを特徴とする請求項１５記載のインクジェット装置。
【請求項１７】
前記布帛印刷データ記憶手段に記憶される印刷データは、少なくともシルク、コットン、ナイロン、ポリエステルの４種類の布帛の印刷データを含み、１枚の用紙毎に１種類の布帛の印刷データが順次印刷されることを特徴とする請求項１５記載のインクジェット装置。
【手続補正２】
【補正対象書類名】明細書
【補正対象項目名】０００７
【補正方法】変更
【補正の内容】
【０００７】
先ず、請求項１記載の発明のインクジェット装置は、用紙にインクジェット方式により印刷を行う印刷手段と、布帛の種類夫々に応じた印刷データが記憶された布帛印刷データ記憶手段と、上記布帛の種類データが入力される入力手段と、該入力手段によって入力された上記布帛の種類データに対応する印刷データを上記布帛印刷データ記憶手段から読み出して上記印刷手段に供給する制御手段とを備え、上記印刷手段は、上記制御手段から供給された上記印刷データに基いて上記用紙に印刷を行うことにより該用紙が上記入力手段により入力された上記布帛の種類データに対応する布帛に類似した感触となる様に印刷すべく構成される。


【手続補正３】
【補正対象書類名】明細書
【補正対象項目名】０００８
【補正方法】変更
【補正の内容】
【０００８】
次に、請求項２記載の発明のインクジェット装置は、用紙にインクジェット方式により印刷を行う印刷手段と、布帛の印刷データが入力される入力手段と、該入力手段により入力された上記布帛の印刷データを上記印刷手段に供給する制御手段とを備え、上記印刷手段は上記制御手段から供給された上記布帛の印刷データに基いて上記用紙に印刷を行うことにより該用紙が上記布帛に類似した感触となる様に印刷すべく構成される。


【手続補正４】
【補正対象書類名】明細書
【補正対象項目名】０００９
【補正方法】変更
【補正の内容】
【０００９】
更に、請求項３記載の発明のインクジェット印刷システムは、インクジェット装置と、該インクジェット装置に印刷データを供給する外部機器とからなるインクジェット印刷システムであって、上記外部機器は、上記印刷データとして布帛の種類データを供給し、上記インクジェット装置は、用紙にインクジェット方式により印刷を行う印刷手段と、布帛の種類夫々に応じた印刷データが記憶された布帛印刷データ記憶手段と、上記外部機器からの布帛の種類データが入力される入力手段と、該入力手段によって入力された布帛の種類データに対応する印刷データを上記布帛印刷データ記憶手段から読み出して上記印刷手段に供給する制御手段とを備えており、上記印刷手段は、上記供給された印刷データに基いて上記用紙に印刷を行うことにより該用紙が上記入力手段により入力された上記布帛の種類データに対応する布帛に類似した感触となる様に印刷すべく構成される。


【手続補正５】
【補正対象書類名】明細書
【補正対象項目名】００１０
【補正方法】変更
【補正の内容】
【００１０】
そして、請求項４記載の発明のインクジェット印刷システムは、インクジェット装置と、該インクジェット装置に印刷データを供給する外部装置とからなるインクジェット印刷システムであって、上記外部機器は、上記印刷データとして、上記用紙を布帛に類似した感触となるように印刷する印刷データを供給し、上記インクジェット装置は、上記用紙にインクジェット方式により印刷を行う印刷手段と、上記外部機器からの印刷データが入力される入力手段と、該入力手段により入力された上記印刷データを上記印刷手段に供給する制御手段とを備えており、上記印刷手段は、上記制御手段により供給された上記印刷データに基いて上記用紙に印刷を行うことにより該用紙が上記布帛に類似した感触となる様に印刷すべく構成される。


【手続補正６】
【補正対象書類名】明細書
【補正対象項目名】００１１
【補正方法】変更
【補正の内容】
【００１１】
上記印刷手段は、例えば請求項５又は６記載のように、インク材料として固形インクを用いたソリッドインクジェット方式により上記用紙に印刷を行うように構成される。また、上記入力手段は、例えば請求項７記載のように、予め定められた布帛の種類データの中から少なくとも１つの種類を選択して入力する選択入力手段を備えて構成される。また、上記用紙は、例えば請求項８又は９記載のように、記録紙で構成され、また、例えば請求項１０又は１１記載のように、予め定められた種類の布帛部材で構成される。また、上記外部機器は、例えば請求項１２記載のように、パーソナルコンピュータで構成される。


【手続補正７】
【補正対象書類名】明細書
【補正対象項目名】００１３
【補正方法】変更
【補正の内容】
【００１３】
最後に、請求項１５記載の発明のインクジェット装置は、用紙にインクジェット方式によって印刷を行う印刷手段と、布帛の種類夫々に応じた印刷データを記憶する布帛印刷データ記憶手段と、該布帛印刷データ記憶手段から上記布帛の種類夫々に応じた印刷データを順次読み出して上記印刷手段に供給する制御手段とを備え、上記印刷手段は、上記制御手段から供給された上記印刷データに基いて上記用紙に印刷を行うことにより該用紙が上記布帛の種類夫々に類似した感触となる様に印刷すべく構成される。


【手続補正８】
【補正対象書類名】明細書
【補正対象項目名】００１４
【補正方法】変更
【補正の内容】
【００１４】
そして、上記布帛印刷データ記憶手段に記憶される印刷データは、例えば請求項１６記載のように、少なくともシルク、コットン、ナイロン、ポリエステルの４種類の布帛の印刷データを含み、１枚の用紙に４種類の布帛の印刷データが順次印刷されるように構成され、また、例えば請求項１７記載のように、少なくともシルク、コットン、ナイロン、ポリエステルの４種類の布帛の印刷データを含み、１枚の用紙毎に１種類の布帛の印刷データが順次印刷されるように構成される。